(57)【特許請求の範囲】
【請求項１】
信号を伝送する方法であって、
端末機器はネットワーク機器から送信された同期信号ブロックの伝送情報を受信し、ここで、前記伝送情報は、前記同期信号ブロックの数ｍの情報及び前記ｍ個の同期信号ブロックを伝送するための時間領域リソースグループの情報を含み、前記時間領域リソースグループは、前記ｍ個の同期信号ブロックを伝送するためのｍ個の時間領域リソースユニットを含み、且つ異なる時間領域リソースグループにおけるｍ個の時間領域リソースユニットの位置が完全に同じではなく、ｍは正整数であることと、
前記端末機器は前記伝送情報に基づいて、前記ネットワーク機器から送信された前記ｍ個の同期信号ブロックを受信することとを含み、
ここで、前記ｍ個の同期信号ブロックの伝送に用いることができる複数の時間領域リソースグループにおいて、各時間領域リソースグループにおけるｍ個の時間領域リソースユニットの位置が第１の条件を満たし、前記第１の条件は、前記ネットワーク機器により確定されたもの、又は前記ネットワーク機器と前記端末機器により事前に確約されたものであることを特徴とする信号を伝送する方法。
【請求項２】
前記伝送情報において、前記時間領域リソースグループの情報が占めたビット数は
0006938671.tif 000029
であり、ｎは前記ｍ個の同期信号ブロックの伝送に用いることができる複数の時間領域リソースグループの数であり、ｎは正整数であることを特徴とする請求項１に記載の方法。
【請求項３】
0006938671.tif 000030
、ｎは前記ｍ個の同期信号ブロックの伝送に用いることができる複数の時間領域リソースグループの数であり、ｎは正整数であり、ｋは前記ｍ個の同期信号ブロックの伝送に用いることができる時間領域リソースユニットの数であり、ｋは正整数であり、ｋ≧ｍであることを特徴とする請求項１又は請求項２に記載の方法。
【請求項４】
前記第１の条件は、
前記ｍ個の同期信号ブロックの伝送に用いることができるｋ個の時間領域リソースユニットにおいて、前記各時間領域リソースグループにおける前記ｍ個の同期信号ブロックを伝送するためのｍ個の時間領域リソースユニットの間が連続的であるもの、又は前記ｍ個の同期信号ブロックを伝送するためのｍ個の時間領域リソースユニットの間に固定数の時間領域リソースユニットが挟まっているものを含むことを特徴とする請求項１から請求項３のいずれか１項に記載の方法。
【請求項５】
前記固定数は前記ネットワーク機器により確定されたもの、又は前記ネットワーク機器と前記端末機器により事前に確約されたものであることを特徴とする請求項４に記載の方法。
【請求項６】
前記時間領域リソースユニットにおける各時間領域リソースユニットは少なくとも１つの符号を含むことを特徴とする請求項１から請求項５のいずれか１項に記載の方法。
【請求項７】
ネットワーク機器であって、
同期信号ブロックの伝送情報を確定するために用いられ、ここで、前記伝送情報は、前記同期信号ブロックの数ｍの情報及び前記ｍ個の同期信号ブロックを伝送するための時間領域リソースグループの情報を含み、前記時間領域リソースグループは、前記ｍ個の同期信号ブロックを伝送するためのｍ個の時間領域リソースユニットを含み、且つ異なる時間領域リソースグループにおけるｍ個の時間領域リソースユニットの位置が完全に同じではなく、ｍは正整数である確定ユニットと、
端末機器が前記伝送情報に基づいて、前記ネットワーク機器から送信された前記ｍ個の同期信号ブロックを受信するように、前記端末機器へ前記確定ユニットにより確定された前記伝送情報を送信するために用いられる送信ユニットとを含み、
ここで、前記ｍ個の同期信号ブロックの伝送に用いることができる複数の時間領域リソースグループにおいて、各時間領域リソースグループにおけるｍ個の時間領域リソースユニットの位置が第１の条件を満たし、前記第１の条件は、前記ネットワーク機器により確定されたもの、又は前記ネットワーク機器と前記端末機器により事前に確約されたものであることを特徴とするネットワーク機器。
【請求項８】
前記伝送情報において、前記時間領域リソースグループの情報が占めたビット数は
0006938671.tif 000031
であり、ｎは前記ｍ個の同期信号ブロックの伝送に用いることができる複数の時間領域リソースグループの数であり、ｎは正整数であることを特徴とする請求項７に記載のネットワーク機器。
【請求項９】
0006938671.tif 000032
、ｎは前記ｍ個の同期信号ブロックの伝送に用いることができる複数の時間領域リソースグループの数であり、ｎは正整数であり、ｋは前記ｍ個の同期信号ブロックの伝送に用いることができる時間領域リソースユニットの数であり、ｋは正整数であり、ｋ≧ｍであることを特徴とする請求項７又は請求項８に記載のネットワーク機器。
【請求項１０】
前記伝送情報はさらにリソース配置情報を含み、前記リソース配置情報は、前記各時間領域リソースグループにおけるｍ個の時間領域リソースユニットの位置が満たすべき第１の条件を指示するために用いられることを特徴とする請求項７から請求項９のいずれか１項に記載のネットワーク機器。
【請求項１１】
前記第１の条件は、
前記ｍ個の同期信号ブロックの伝送に用いることができるｋ個の時間領域リソースユニットにおいて、前記各時間領域リソースグループにおける前記ｍ個の同期信号ブロックを伝送するためのｍ個の時間領域リソースユニットの間が連続的であるもの、又は前記ｍ個の同期信号ブロックを伝送するためのｍ個の時間領域リソースユニットの間に固定数の時間領域リソースユニットが挟まっているものを含むことを特徴とする請求項１０に記載のネットワーク機器。
【請求項１２】
前記固定数は前記ネットワーク機器により確定されたもの、又は前記ネットワーク機器と前記端末機器により事前に確約されたものであることを特徴とする請求項１１に記載のネットワーク機器。
【請求項１３】
前記ｍ個の時間領域リソースユニットにおける各時間領域リソースユニットは少なくとも１つの符号を含み、
前記同期信号ブロックは、
プライマリ同期信号ＰＳＳ、セカンダリ同期信号ＳＳＳ及び物理ブロードキャストチャネルＰＢＣＨのうちの少なくとも１種を含むことを特徴とする請求項７から請求項１２のいずれか１項に記載のネットワーク機器。
【請求項１４】
端末機器であって、
ネットワーク機器から送信された同期信号ブロックの伝送情報を受信するために用いられる受信ユニットを含み、前記伝送情報は、前記同期信号ブロックの数ｍの情報及び前記ｍ個の同期信号ブロックを伝送するための時間領域リソースグループの情報を含み、前記時間領域リソースグループは、前記ｍ個の同期信号ブロックを伝送するためのｍ個の時間領域リソースユニットを含み、且つ異なる時間領域リソースグループにおけるｍ個の時間領域リソースユニットの位置が完全に同じではなく、ｍは正整数であり、
前記受信ユニットはさらに、前記伝送情報に基づいて、前記ネットワーク機器から送信された前記ｍ個の同期信号ブロックを受信するために用いられ、
ここで、前記ｍ個の同期信号ブロックの伝送に用いることができる複数の時間領域リソースグループにおいて、各時間領域リソースグループにおけるｍ個の時間領域リソースユニットの位置が第１の条件を満たし、前記第１の条件は、前記ネットワーク機器により確定されたもの、又は前記ネットワーク機器と前記端末機器により事前に確約されたものであることを特徴とする端末機器。
【請求項１５】
前記伝送情報において、前記時間領域リソースグループの情報が占めたビット数は
0006938671.tif 000033
であり、ｎは前記ｍ個の同期信号ブロックの伝送に用いることができる複数の時間領域リソースグループの数であり、ｎは正整数であることを特徴とする請求項１４に記載の端末機器。
【請求項１６】
0006938671.tif 000034
、ｎは前記ｍ個の同期信号ブロックの伝送に用いることができる複数の時間領域リソースグループの数であり、ｎは正整数であり、ｋは前記ｍ個の同期信号ブロックの伝送に用いることができる時間領域リソースユニットの数であり、ｋは正整数であり、ｋ≧ｍであることを特徴とする請求項１４又は請求項１５に記載の端末機器。
【請求項１７】
前記伝送情報はさらにリソース配置情報を含み、前記リソース配置情報は、前記各時間領域リソースグループにおけるｍ個の時間領域リソースユニットの位置が満たすべき第１の条件を指示するために用いられることを特徴とする請求項１４から請求項１６のいずれか１項に記載の端末機器。
【請求項１８】
前記第１の条件は、
前記ｍ個の同期信号ブロックの伝送に用いることができるｋ個の時間領域リソースユニットにおいて、前記各時間領域リソースグループにおける前記ｍ個の同期信号ブロックを伝送するためのｍ個の時間領域リソースユニットの間が連続的であるもの、又は前記ｍ個の同期信号ブロックを伝送するためのｍ個の時間領域リソースユニットの間に固定数の時間領域リソースユニットが挟まっているものを含むことを特徴とする請求項１４から請求項１７のいずれか１項に記載の端末機器。
【請求項１９】
前記時間領域リソースユニットにおける各時間領域リソースユニットは少なくとも１つの符号を含み、
前記同期信号ブロックは、
プライマリ同期信号ＰＳＳ、セカンダリ同期信号ＳＳＳ及び物理ブロードキャストチャネルＰＢＣＨのうちの少なくとも１種を含むことを特徴とする請求項１４から請求項１８のいずれか１項に記載の端末機器。
【発明の詳細な説明】
【技術分野】
【０００１】
本願の実施例は無線通信分野に関し、より具体的には、信号を伝送する方法、ネットワーク機器及び端末機器に関する。
【背景技術】
【０００２】
ロングタームエヴォリューション（Ｌｏｎｇ  Ｔｅｒｍ  Ｅｖｏｌｕｔｉｏｎ、ＬＴＥ）システムにおいて、例えば、プライマリ同期信号（Ｐｒｉｍａｒｙ  Ｓｙｎｃｈｒｏｎｉｚａｔｉｏｎ  Ｓｉｇｎａｌ、ＰＳＳ）とセカンダリ同期信号（Ｓｅｃｏｎｄａｒｙ  Ｓｙｎｃｈｒｏｎｉｚａｔｉｏｎ  Ｓｉｇｎａｌ、ＳＳＳ）のような同期信号が伝送時に占用する時間領域リソース位置は固定されている。
【０００３】
しかし、新たな無線（Ｎｅｗ  Ｒａｄｉｏ、ＮＲ）とも呼ばれる５Ｇシステムにおいて、異なるビーム（ｂｅａｍ）によってセル全体をカバーすることができ、そのうち、各ビームはセルにおける１つの小さい範囲をカバーし、時間上の走査（ｓｗｅｅｐｉｎｇ）により、複数のビームがセル全体をカバーするという効果を果たす。異なるビーム上で異なる同期信号ブロック（ＳＳ  Ｂｌｏｃｋ）を伝送できるため、同期信号ブロックが伝送時に占用する時間領域リソース位置は柔軟に変化できる。
【０００４】
したがって、どのように同期信号ブロックを伝送するための時間領域リソース位置を効果的に指示するかは、解決すべき緊急課題になる。
【発明の概要】
【発明が解決しようとする課題】
【０００５】
本願の実施例は、信号を伝送する方法、ネットワーク機器及び端末機器を提供し、同期信号ブロックを伝送するための時間領域リソース位置を効果的に指示することができる。
【課題を解決するための手段】
【０００６】
第１の態様にて提供される信号を伝送する方法は、
ネットワーク機器は同期信号ブロックの伝送情報を確定し、前記伝送情報は、前記同期信号ブロックの数ｍの情報及び前記ｍ個の同期信号ブロックを伝送するための時間領域リソースグループの情報を含み、前記時間領域リソースグループは、前記ｍ個の同期信号ブロックを伝送するためのｍ個の時間領域リソースユニットを含み、且つ異なる時間領域リソースグループにおけるｍ個の時間領域リソースユニットの位置が完全に同じではなく、ｍは正整数であることと、端末機器が前記伝送情報に基づいて、前記ネットワーク機器から送信された前記ｍ個の同期信号ブロックを受信するように、前記ネットワーク機器は前記端末機器へ前記伝送情報を送信することとを含む。
【０００７】
したがって、本願の実施例において、同期信号ブロックを伝送する時、ネットワーク機器は端末機器に同期信号ブロックの数及び対応する具体的な時間領域位置を指示することにより、少ないビットを使用するだけで、同期信号ブロックの時間領域リソース位置に対する指示を実現でき、且つシグナリングオーバーヘッドを低減する。
【０００８】
１つの実施例において、第１の態様の一実現方式において、前記伝送情報において、前記時間領域リソースグループの情報が占めたビット数は
0006938671.tif 000002
であり、ｎは前記ｍ個の同期信号ブロックの伝送に用いることができる複数の時間領域リソースグループの数であり、ｎは正整数である。
【０００９】
１つの実施例において、第１の態様の一実現方式において、
0006938671.tif 000003
、ｋは前記ｍ個の同期信号ブロックの伝送に用いることができる時間領域リソースユニットの数であり、ｋは正整数であり、ｋ≧ｍである。
【００１０】
１つの実施例において、第１の態様の一実現方式において、前記複数の時間領域リソースグループにおいて、各時間領域リソースグループにおけるｍ個の時間領域リソースユニットの時間領域位置は第１の条件を満たす。
【００１１】
１つの実施例において、第１の態様の一実現方式において、前記第１の条件は前記ネットワーク機器により確定されたもの、又は前記ネットワーク機器と前記端末機器により事前に確約されたものである。
【００１２】
１つの実施例において、第１の態様の一実現方式において、前記伝送情報はさらにリソース配置情報を含み、前記リソース配置情報は前記各時間領域リソースグループにおけるｍ個の時間領域リソースユニットの時間領域位置が満たすべき第１の条件を指示するために用いられる。
【００１３】
１つの実施例において、第１の態様の一実現方式において、前記第１の条件は、前記ｍ個の同期信号ブロックの伝送に用いることができる前記ｋ個の時間領域リソースユニットにおいて、前記各時間領域リソースグループにおける前記ｍ個の同期信号ブロックを伝送するためのｍ個の時間領域リソースユニットの間が連続的であるもの、又は前記ｍ個の同期信号ブロックを伝送するためのｍ個の時間領域リソースユニットの間に固定数の時間領域リソースユニットが挟まっているものを含む。
【００１４】
１つの実施例において、第１の態様の一実現方式において、前記固定数は前記ネットワーク機器により確定されたもの、又は前記ネットワーク機器と前記端末機器により事前に確約されたものである。
【００１５】
１つの実施例において、第１の態様の一実現方式において、前記ｍ個の時間領域リソースユニットにおける各時間領域リソースユニットは少なくとも１つの符号を含む。
【００１６】
１つの実施例において、第１の態様の一実現方式において、前記同期信号ブロックは、プライマリ同期信号ＰＳＳ、セカンダリ同期信号ＳＳＳ及び物理ブロードキャストチャネルＰＢＣＨのうちの少なくとも１種を含む。
【００１７】
第２の態様にて提供される信号を伝送する方法は、
端末機器はネットワーク機器から送信された同期信号ブロックの伝送情報を受信し、ここで、前記伝送情報は、前記同期信号ブロックの数ｍの情報及び前記ｍ個の同期信号ブロックを伝送するための時間領域リソースグループの情報を含み、前記時間領域リソースグループは、前記ｍ個の同期信号ブロックを伝送するためのｍ個の時間領域リソースユニットを含み、且つ異なる時間領域リソースグループにおけるｍ個の時間領域リソースユニットの位置が完全に同じではなく、ｍは正整数であることと、前記端末機器は前記伝送情報に基づいて、前記ネットワーク機器から送信された前記ｍ個の同期信号ブロックを受信することとを含む。
【００１８】
したがって、本願の実施例において、同期信号ブロックを受信する時、端末機器はネットワーク機器により指示された同期信号ブロックの数及び対応する具体的な時間領域位置を取得することにより、少ないビットを使用するだけで、同期信号ブロックの時間領域リソース位置を取得でき、それによりシグナリングオーバーヘッドを低減する。
【００１９】
１つの実施例において、第２の態様の一実現方式において、前記伝送情報において、前記時間領域リソースグループの情報が占めたビット数は
0006938671.tif 000004
であり、ｎは前記ｍ個の同期信号ブロックの伝送に用いることができる複数の時間領域リソースグループの数であり、ｎは正整数である。
【００２０】
１つの実施例において、第２の態様の一実現方式において、
0006938671.tif 000005
、ｋは前記ｍ個の同期信号ブロックの伝送に用いることができる時間領域リソースユニットの数であり、ｋは正整数であり、ｋ≧ｍである。
【００２１】
１つの実施例において、第２の態様の一実現方式において、前記複数の時間領域リソースグループにおいて、各時間領域リソースグループにおけるｍ個の時間領域リソースユニットの位置が第１の条件を満たす。
【００２２】
１つの実施例において、第２の態様の一実現方式において、前記第１の条件は、前記ネットワーク機器により確定されたもの、又は前記端末機器と前記ネットワーク機器により事前に確約されたものである。
【００２３】
１つの実施例において、第２の態様の一実現方式において、前記伝送情報はさらにリソース配置情報を含み、前記リソース配置情報は、前記各時間領域リソースグループにおけるｍ個の時間領域リソースユニットの位置が満たすべき第１の条件を指示するために用いられる。
【００２４】
１つの実施例において、第２の態様の一実現方式において、前記第１の条件は、前記ｍ個の同期信号ブロックの伝送に用いることができる前記ｋ個の時間領域リソースユニットにおいて、前記各時間領域リソースグループにおける前記ｍ個の同期信号ブロックを伝送するためのｍ個の時間領域リソースユニットの間が連続的であるもの、又は前記ｍ個の同期信号ブロックを伝送するためのｍ個の時間領域リソースユニットの間に固定数の時間領域リソースユニットが挟まっているものを含む。
【００２５】
１つの実施例において、第２の態様の一実現方式において、前記固定数は前記ネットワーク機器により確定されたもの、又は前記ネットワーク機器と前記端末機器により事前に確約されたものである。
【００２６】
１つの実施例において、第２の態様の一実現方式において、前記時間領域リソースユニットにおける各時間領域リソースユニットは少なくとも１つの符号を含む。
【００２７】
１つの実施例において、第２の態様の一実現方式において、前記同期信号ブロックは、プライマリ同期信号ＰＳＳ、セカンダリ同期信号ＳＳＳ及び物理ブロードキャストチャネルＰＢＣＨのうちの少なくとも１種を含む。
【００２８】
第３の態様にて提供されるネットワーク機器は、上記の第１の態様又は第１の態様のいずれかの実現方式におけるネットワーク機器の操作を実行できる。具体的には、当該ネットワーク機器は、上記の第１の態様又は第１の態様のいずれかの実現方式におけるネットワーク機器の操作を実行するためのモジュールユニットを含んでもよい。
【００２９】
第４の態様にて提供される端末機器は、上記の第２の態様又は第２の態様のいずれかの実現方式における端末機器の操作を実行できる。具体的には、当該端末機器は上記の第２の態様又は第２の態様のいずれかの実現方式における端末機器の操作を実行するためのモジュールユニットを含んでもよい。
【００３０】
第５の態様にて提供されるネットワーク機器は、プロセッサ、トランシーバー及びメモリを含む。そのうち、当該プロセッサ、トランシーバー及びメモリの間は内部接続通路を介して相互に通信する。当該メモリはコマンドを記憶するために用いられ、当該プロセッサは当該メモリに記憶されたコマンドを実行するために用いられる。当該プロセッサが当該メモリに記憶されたコマンドを実行する時、当該実行により、当該ネットワーク機器は第１の態様又は第１の態様のいずれかの実現方式における方法を実行し、又は当該実行により、当該ネットワーク機器は第３の態様にて提供されるネットワーク機器を実現する。
【００３１】
第６の態様にて提供される端末機器は、プロセッサ、トランシーバー及びメモリを含む。そのうち、当該プロセッサ、トランシーバー及びメモリの間は内部接続通路を介して相互に通信する。当該メモリはコマンドを記憶するために用いられ、当該プロセッサは当該メモリに記憶されたコマンドを実行するために用いられる。当該プロセッサが当該メモリに記憶されたコマンドを実行する時、当該実行により、当該端末機器は第２の態様又は第２の態様のいずれかの実現方式における方法を実行し、又は当該実行により、当該端末機器は第４の態様にて提供される端末機器を実現する。
【００３２】
第７の態様にて提供されるコンピュータ可読記憶媒体にはプログラムが記憶されており、前記プログラムにより、ネットワーク機器は上記の第１の態様及びその各種の実現方式におけるいずれかの信号を伝送する方法を実行する。
【００３３】
第８の態様にて提供されるコンピュータ可読記憶媒体にはプログラムが記憶されており、前記プログラムにより、端末機器は上記の第２の態様及びその各種の実現方式におけるいずれかの信号を伝送する方法を実行する。
【００３４】
第９の態様にて提供されるシステムチップは、入力インタフェース、出力インタフェース、プロセッサ及びメモリを含み、当該プロセッサは当該メモリに記憶されたコマンドを実行するために用いられ、当該コマンドが実行される時、当該プロセッサは上記の第１の態様及びその各種の実現方式におけるいずれかの方法を実現できる。
【００３５】
第１０の態様にて提供されるシステムチップは、入力インタフェース、出力インタフェース、プロセッサ及びメモリを含み、当該プロセッサは当該メモリに記憶されたコマンドを実行するために用いられ、当該コマンドが実行される時、当該プロセッサは上記の第２の態様及びその各種の実現方式におけるいずれかの方法を実現できる。
【図面の簡単な説明】
【００３６】
【図１】本願の実施例に係る応用シーンの概略コンテキスト図である。
【図２】異なる時間領域リソースユニットにおける同期信号ブロックの柔軟な伝送の概略図である。
【図３】異なる時間領域リソースユニットにおける同期信号ブロックの柔軟な伝送の概略図である。
【図４】異なる時間領域リソースユニットにおける同期信号ブロックの柔軟な伝送の概略図である。
【図５】本願の実施例に係る信号を伝送する方法の流れの相互作用図である。
【図６】本願の実施例に係る同期信号ブロックの時間領域リソースの概略図である。
【図７】本願の実施例に係る同期信号ブロックの時間領域リソースの概略図である。
【図８】本願の実施例に係る同期信号ブロックの時間領域リソースの概略図である。
【図９】本願の実施例に係る同期信号ブロックの時間領域リソースの概略図である。
【図１０】本願の実施例に係る同期信号ブロックの時間領域リソースの概略図である。
【図１１】本願の実施例に係る同期信号ブロックの時間領域リソースの概略図である。
【図１２】本願の実施例に係るネットワーク機器の概略ブロック図である。
【図１３】本願の実施例に係る端末機器の概略ブロック図である。
【図１４】本願の実施例に係るネットワーク機器の概略構成図である。
【図１５】本願の実施例に係る端末機器の概略構成図である。
【図１６】本願の実施例に係るシステムチップの概略構成図である。
【発明を実施するための形態】
【００３７】
以下、図面と合わせて、本願の実施例における技術的解決手段について説明する。
【００３８】
本願の実施例の技術的解決手段は、例えば、汎欧州デジタル移動電話（Ｇｌｏｂａｌ  Ｓｙｓｔｅｍ  ｏｆ  Ｍｏｂｉｌｅ  Ｃｏｍｍｕｎｉｃａｔｉｏｎ、ＧＳＭ）システム、符号分割多元接続（Ｃｏｄｅ  Ｄｉｖｉｓｉｏｎ  Ｍｕｌｔｉｐｌｅ  Ａｃｃｅｓｓ、ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）システム、ロングタームエヴォリューション（Ｌｏｎｇ  Ｔｅｒｍ  Ｅｖｏｌｕｔｉｏｎ、ＬＴＥ）システム、ＬＴＥ周波数分割複信（Ｆｒｅｑｕｅｎｃｙ  Ｄｉｖｉｓｉｏｎ  Ｄｕｐｌｅｘ、ＦＤＤ）システム、ＬＴＥ時分割複信（Ｔｉｍｅ  Ｄｉｖｉｓｉｏｎ  Ｄｕｐｌｅｘ、ＴＤＤ）システム、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、ＵＭＴＳ）及び将来の５Ｇ通信システムなど、各種の通信システムに適用できることが理解される。
【００３９】
本願は端末機器と合わせて各実施例を説明する。端末機器は、ユーザ機器（Ｕｓｅｒ  Ｅｑｕｉｐｍｅｎｔ、ＵＥ）、アクセス端末、ユーザユニット、ユーザステーション、移動局、モバイルステーション、遠隔局、遠隔端末、モバイル機器、ユーザ端末、端末、無線通信機器、ユーザエージェント又はユーザ装置であってもよい。アクセス端末は携帯電話、コードレス電話、セッション開始プロトコル（Ｓｅｓｓｉｏｎ  Ｉｎｉｔｉａｔｉｏｎ  Ｐｒｏｔｏｃｏｌ、ＳＩＰ）電話、ワイヤレスローカルループ（Ｗｉｒｅｌｅｓｓ  Ｌｏｃａｌ  Ｌｏｏｐ、ＷＬＬ）ステーション、パーソナルデジタルアシスタント（Ｐｅｒｓｏｎａｌ  Ｄｉｇｉｔａｌ  Ａｓｓｉｓｔａｎｔ、ＰＤＡ）、無線通信機能を備えるハンドヘルド機器、コンピュータ機器又は無線モデムに接続された他の処理機器、車載機器、ウェアラブル機器、将来の５Ｇネットワークにおける端末機器又は将来に発展する地上波公共移動通信ネットワーク（Ｐｕｂｌｉｃ  Ｌａｎｄ  Ｍｏｂｉｌｅ  Ｎｅｔｗｏｒｋ、ＰＬＭＮ）における端末機器などであってもよい。
【００４０】
本願はネットワーク機器と合わせて各実施例を説明する。ネットワーク機器は端末機器と通信するための機器であってもよく、例えば、ＧＳＭシステム又はＣＤＭＡにおける基地局（Ｂａｓｅ  Ｔｒａｎｓｃｅｉｖｅｒ  Ｓｔａｔｉｏｎ、ＢＴＳ）であってもよく、ＷＣＤＭＡシステムにおける基地局（ＮｏｄｅＢ、ＮＢ）であってもよく、さらにＬＴＥシステムにおける発展型基地局（Ｅｖｏｌｕｔｉｏｎａｌ  Ｎｏｄｅ  Ｂ、ｅＮＢ又はｅＮｏｄｅＢ）であってもよく、又は、当該ネットワーク機器は中継局、アクセスポイント、車載機器、ウェアラブル機器及び将来の５Ｇネットワークにおけるネットワーク側機器又は将来に発展するＰＬＭＮネットワークにおけるネットワーク側機器などであってもよい。
【００４１】
図１は本願の実施例に係る応用シーンの概略図である。図１における通信システムはネットワーク機器１０と端末機器２０とを含んでもよい。ネットワーク機器１０は、端末機器２０に通信サービスを提供するとともにコアネットワークにアクセスするために用いられ、端末機器２０は、ネットワーク機器１０から送信された同期信号、ブロードキャスト信号などを探索することによって、ネットワークにアクセスすることができ、それにより、ネットワークと通信する。図１に示された矢印は、端末機器２０とネットワーク機器１０との間におけるセルリンクによって行われる上り／下り伝送を表すことができる。
【００４２】
本願の実施例におけるネットワークは地上波公共移動通信ネットワーク（Ｐｕｂｌｉｃ  Ｌａｎｄ  Ｍｏｂｉｌｅ  Ｎｅｔｗｏｒｋ、ＰＬＭＮ）、デバイスツーデバイス（Ｄｅｖｉｃｅ  ｔｏ  Ｄｅｖｉｃｅ、Ｄ２Ｄ）ネットワーク、マシンツーマシン／マン（Ｍａｃｈｉｎｅ  ｔｏ  Ｍａｃｈｉｎｅ／Ｍａｎ、Ｍ２Ｍ）ネットワーク又は他のネットワークであってもよく、図１は単に例の簡略化概略図であり、ネットワークはさらに他の端末機器を含んでもよいが、図１には図示しない。
【００４３】
５Ｇシステムにおいて、異なるビーム（ｂｅａｍ）によってセル全体をカバーすることができ、そのうち、各ビームがセルにおける１つの小さい範囲をカバーし、時間上の走査（ｓｗｅｅｐｉｎｇ）により、複数のビームがセル全体をカバーするという効果を果たす。図２に示すように、システムは４つのビームを含み、各ビームは異なる同期信号ブロック（ＳＳ  ｂｌｏｃｋ）を送信するために用いられ、即ち、ビームｉ上で同期信号ブロックｉ（ｉ＝１、２、３又は４）を送信すると仮定する。２０ｍｓ周期において、同期信号ブロックの伝送に用いることができる符号は合計でｋ個あると仮定する。当該周期において実際に伝送された複数の同期信号ブロックは組み合わせられて同期信号バーストセット（ＳＳ  ｂｕｒｓｔ  ｓｅｔ）となる。
【００４４】
図２に示すように、同じセルにおいて、端末機器が検出すべき同期信号ブロックが占用した時間領域リソース位置については、当該周期における位置がすでに固定されていなく、例えば、図２に示すように、同期信号ブロックはｋ個の時間領域リソースユニットにおける前の４つの時間領域リソースユニットを占用するに対して、図３に示された同期信号ブロックの伝送の概略図において、同期信号ブロックはｋ個の時間領域リソースユニットにおける１つ目、３つ目、５つ目及び７つ目の時間領域リソースユニットを占用し、図４に示された同期信号ブロックの伝送の概略図において、同期信号ブロックはｋ個の時間領域リソースユニットにおける３つ目、４つ目、７つ目及び８つ目の時間領域リソースユニットを占用する。これにより分かるように、５Ｇシステムにおいて、同期信号ブロックが占用した時間領域リソースユニットの位置は一定の柔軟性を有する。
【００４５】
同期信号ブロックを伝送するための時間領域リソースユニットの位置を効果的に指示するための１つの方式として、ｋ個のビット（ｂｉｔ）でビットマップ、即ちマップ（ｂｉｔｍａｐ）を構成することがあり、ｂｉｔのそれぞれはそれに対応する時間領域位置上で同期信号ブロック（ＳＳ  ｂｌｏｃｋ）が送信されるか否かを指示するために用いられる。このため、同期信号ブロックの時間領域リソース位置の多種の可能性を直観的に表すことができる。
【００４６】
しかしながら、このような方式は、シグナリングオーバーヘッドが極めて大きく、特に、同期信号ブロックの伝送時の周期が長く、且つ各周期に伝送される同期信号ブロックの数が少ないという状況に対して、大量のシグナリングの浪費をもたらす。例えば、１つの周期内において、同期信号ブロックを伝送するための可能な時間領域リソースユニットの位置がｋ個であるが、当該周期に実際に伝送された同期信号ブロックが１つのみである場合は、ｋ個のビットのｂｉｔｍａｐが大きい浪費をもたらす。
【００４７】
本願の実施例における時間領域リソースユニットは、例えば、直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）符号のような、少なくとも１つの符号を含み、１つのスロットは１つ又は複数の時間領域リソースユニットを含んでもよく、１つの時間領域リソースユニットは１つの同期信号ブロックを伝送でき、この同期信号ブロックは少なくとも１つの符号を占用できることが理解される。
【００４８】
本願の実施例において、同期信号ブロックを伝送する時、ネットワーク機器は端末機器に同期信号ブロックの数及び対応する具体的な時間領域位置を指示することにより、少ないビットを使用するだけで、同期信号ブロックの時間領域リソース位置に対する指示を実現でき、且つシグナリングオーバーヘッドを低減する。
【００４９】
図５は本願の実施例に係る信号を伝送する方法の流れの相互作用図である。図５におけるネットワーク機器は、例えば図１におけるネットワーク機器１０であってもよく、図５における端末機器は、例えば図１における端末機器２０であってもよく、図５に示すように、当該信号を伝送する方法は５１０〜５４０を含む。
【００５０】
５１０において、ネットワーク機器は同期信号ブロックの伝送情報を確定する。
【００５１】
ここで、当該伝送情報は当該同期信号ブロックの数ｍの情報及び当該ｍ個の同期信号ブロックを伝送するための時間領域リソースグループの情報を含む。
【００５２】
ここで、１つの実施例において、当該伝送情報における当該時間領域リソースグループの情報が占めたビット数は
0006938671.tif 000006
であり、ｎは前記ｍ個の同期信号ブロックの伝送に用いることができる複数の時間領域リソースグループの数であり、異なる時間領域リソースグループにおける当該ｍ個の同期信号ブロックを伝送するためのｍ個の時間領域リソースユニットの位置が完全に同じではなく、ｍは正整数であり、ｎは正整数である。
【００５３】
ここで、当該複数の時間領域リソースグループにおける各時間領域リソースグループは少なくとも１つの時間領域リソースユニットを含む。１つの実施例において、当該時間領域リソースユニットは少なくとも１つの符号を含む。１つの時間領域リソースユニットは１つの同期信号ブロックを伝送できる。
【００５４】
１つの実施例において、当該同期信号ブロックは、プライマリ同期信号ＰＳＳ、セカンダリ同期信号ＳＳＳ及び物理ブロードキャストチャネル（Ｐｈｙｓｉｃａｌ  Ｂｒｏａｄｃａｓｔ  ＣＨａｎｎｅｌ、ＰＢＣＨ）のうちの少なくとも１種を含む。
【００５５】
当該同期信号ブロックは、ＰＳＳ、ＳＳＳ、ＰＢＣＨ及びＰＢＣＨを復調するための復調基準信号（Ｄｅｍｏｄｕｌａｔｉｏｎ  Ｒｅｆｅｒｅｎｃｅ  Ｓｉｇｎａｌ、ＤＭＲＳ）などの情報のうちの少なくとも１種を含んでもよく、これらの情報は１つの同期信号ブロックと総称されてもよく、１つの同期信号は一定の数の符号（ここでは時間領域リソースユニットと呼ばれる）を占用して伝送されることが理解される。
【００５６】
さらに、当該ＰＢＣＨはそれ相応の復調基準信号（Ｄｅｍｏｄｕｌａｔｉｏｎ  Ｒｅｆｅｒｅｎｃｅ  Ｓｉｇｎａｌ、ＤＭＲＳ）を携帯できる。
【００５７】
具体的には、ネットワーク機器は端末機器へ同期信号ブロックを送信する時、当該同期信号ブロックの数ｍ及びこのｍ個の同期信号ブロックを伝送するための時間領域リソースグループを指示するように、端末機器へ当該同期信号ブロックの伝送情報を送信する必要があり、それによって端末機器はこのｍ個の同期信号ブロックを正確に受信できる。このｍ個の同期信号ブロックの伝送に用いられることができる可能な時間領域リソースがｎ個であれば、当該伝送情報に含まれた、当該ｍ個の同期信号ブロックを伝送するための時間領域リソースグループの情報が占めたビット数は
0006938671.tif 000007
である。このｎ種の可能な時間領域リソースグループにおいて、各時間領域リソースグループにおける当該ｍ個の同期信号ブロックを伝送するためのｍ個の時間領域リソースユニットの位置は、複数の時間領域リソースグループにおける他の時間領域リソースグループにおける当該ｍ個の同期信号ブロックを伝送するためのｍ個の時間領域リソースユニットの位置と完全に同じではない。
【００５８】
例を挙げると、図６に示すように、同期信号ブロックの１つの送信周期には８つの時間領域リソースユニットを含み、ネットワーク機器は時間領域リソースユニット１で端末機器へ１つの同期信号ブロックを送信し、即ちｍ＝１であると仮定する。当該同期信号ブロックの伝送に用いることができるｎ個の時間領域リソースグループはそれぞれ時間領域リソースユニット１から時間領域リソースユニット８を含み、各時間領域リソースユニットは少なくとも１つの同期信号ブロックを伝送するための符号を含むと仮定する。ネットワーク機器が端末機器へ送信した伝送情報はｍ＝１及びこの１つの同期信号ブロックを伝送するための時間領域リソースグループである時間領域リソースユニット１の情報を含む。当該時間領域リソースグループを
0006938671.tif 000008
のビットによって指示することができ、例えば、「００１」で当該同期信号ブロックが１つ目の時間領域リソースユニットである時間領域リソースユニット１で伝送されることを示し、「０１０」で当該同期信号ブロックが時間領域リソースユニット２で伝送されることを示し、「０１１」で当該同期信号ブロックが時間領域リソースユニット３で伝送されることを示し、「１００」で当該同期信号ブロックが時間領域リソースユニット４で伝送されることを示し、「１０１」で当該同期信号ブロックが時間領域リソースユニット５で伝送されることを示し、「１１０」で当該同期信号ブロックが時間領域リソースユニット６で伝送されることを示し、「１１１」で当該同期信号ブロックが時間領域リソースユニット７で伝送されることを示し、「０００」で当該同期信号ブロックが時間領域リソースユニット８で伝送されることを示す。ネットワーク機器が時間領域リソースユニット１で端末機器へ当該同期信号ブロックを送信するため、「００１」によって端末機器に当該同期信号ブロックが時間領域リソースユニット１に位置することを指示することができ、即ち当該伝送情報に含まれた当該時間領域リソースグループの情報は「００１」である。
【００５９】
１つの実施例において、
0006938671.tif 000009
、ｋは当該ｍ個の同期信号ブロックの伝送に用いることができる時間領域リソースユニットの数であり、ｋは正整数であり、ｋ≧ｍである。
【００６０】
例えば、図７に示すように、同期信号ブロックの１つの送信周期には同期信号ブロックを伝送するための時間領域リソースユニットを４つ含み、ネットワーク機器は時間領域リソースユニット１と時間領域リソースユニット２で端末機器へ２つの同期信号ブロックを送信し、即ちｍ＝２と仮定する。この２つの同期信号ブロックの伝送に用いることができる時間領域リソースユニットの数ｋ＝４であり（時間領域リソースユニット１から時間領域リソースユニット４）、この２つの同期信号ブロックの伝送に用いることができる時間領域リソースグループの数
0006938671.tif 000010
であり、ここでこの６つの時間領域リソースグループはそれぞれ、時間領域リソースユニット１と時間領域リソースユニット２、時間領域リソースユニット１と時間領域リソースユニット３、時間領域リソースユニット１と時間領域リソースユニット４、時間領域リソースユニット２と時間領域リソースユニット３、時間領域リソースユニット２と時間領域リソースユニット４、時間領域リソースユニット３と時間領域リソースユニット４を含むと仮定する。ネットワーク機器が端末機器へ送信した伝送情報はｍ＝２及びこの２つの同期信号ブロックを伝送するための時間領域リソースユニットグループである時間領域リソースユニット１と時間領域リソースユニット２の情報を含む。
【００６１】
この２つの同期信号ブロックを伝送するための当該時間領域リソースグループを
0006938671.tif 000011
のビットによって指示することができ、例えば、「００１」で当該同期信号ブロックが時間領域リソースユニット１と時間領域リソースユニット２で伝送されることを示し、「０１０」で当該同期信号ブロックが時間領域リソースユニット１と時間領域リソースユニット３で伝送されることを示し、「０１１」で当該同期信号ブロックが時間領域リソースユニット１と時間領域リソースユニット４で伝送されることを示し、「１００」で当該同期信号ブロックが時間領域リソースユニット２と時間領域リソースユニット３で伝送されることを示し、「１０１」で当該同期信号ブロックが時間領域リソースユニット３と時間領域リソースユニット４で伝送されることを示す。ネットワーク機器が時間領域リソースユニット１と時間領域リソースユニット２で端末機器へ当該同期信号ブロックを送信するため、「００１」によって端末機器に当該同期信号ブロックが時間領域リソースユニット１と時間領域リソースユニット２に位置することを指示でき、即ち当該伝送情報に含まれた当該時間領域リソースグループの情報は「００１」である。
【００６２】
１つの実施例において、この複数の時間領域リソースグループにおいて、各時間領域リソースグループにおける当該ｍ個の同期信号ブロックを伝送するためのｍ個の時間領域リソースユニットの位置は第１の条件を満たす。
【００６３】
１つの実施例において、当該第１の条件は、ネットワーク機器が確定し且つ端末機器に指示するもの、又は、例えばプロトコルに規定さられたもののようなネットワーク機器と端末機器が事前に確約したものである。
【００６４】
具体的には、当該ｍ個の同期信号ブロックの伝送に用いることができる複数の時間領域リソースグループにおいて、各時間領域リソースグループにおけるｍ個の同期信号ブロックを伝送するためのｍ個の時間領域リソースユニットの位置が第１の条件を満たす。当該第１の条件は、例えば、前記ｍ個の同期信号ブロックの伝送に用いることができるｋ個の時間領域リソースユニットにおいて、各時間領域リソースグループにおける当該ｍ個の同期信号ブロックを伝送するためのｍ個の時間領域リソースユニットの間が連続的であるもの、又は、当該ｍ個の同期信号ブロックを伝送するためのｍ個の時間領域リソースユニットの間に所定の数の時間領域リソースユニットが挟まっているもの、などである。
【００６５】
ここで、当該所定の数はネットワーク機器により確定されたもの、又は、例えばプロトコルに規定さられたもののようなネットワーク機器と端末機器が事前に確約したものである。
【００６６】
ここで、時間領域リソースユニットの間の「連続」又は「間隔」は、複数の時間領域リソースユニットにおける同期信号ブロックの伝送のみに用いられる時間領域リソースユニットに対するものであることが理解される。つまり、この連続するｍ個の時間領域リソースユニットの間に同期信号ブロックを伝送するための他の時間領域リソースユニットが挟まれないが、この連続するｍ個の時間領域リソースユニットの間に同期信号ブロックの伝送に用いられない時間領域リソースユニット又は符号が挟まれてもよい。
【００６７】
図８に示されたリソース概略図のように、同期信号ブロックの１つの伝送周期には１４個の符号を含み、この１４個の符号における１つ目の符号と１４個目の符号は同期信号ブロックの伝送に用いられず、同期信号ブロックの伝送に用いられる符号は２つ目の符号から１３個目の符号であると仮定する。ここで、２つ目の符号から１３個目の符号は同期信号ブロックを伝送するための３つの時間領域リソースユニットを形成し、各時間領域リソースユニットは１つの同期信号ブロックを伝送するための４つの符号を含む。時間領域リソースユニット１は２つ目、３つ目、４つ目、５つ目の符号を含み、時間領域リソースユニット２は６つ目、７つ目、８つ目、９つ目の符号を含み、時間領域リソースユニット３は１０個目、１１個目、１２個目、１３個目の符号を含む。図８に示すように、伝送周期Ｔ１における時間領域リソースユニット３と伝送周期Ｔ２における時間領域リソースユニット１との間は連続的であり、それは伝送周期Ｔ１における時間領域リソースユニット３と伝送周期Ｔ２における時間領域リソースユニット１との間に挟まれた符号１４と符号１が同期信号ブロックの伝送に用いられないためである。
【００６８】
同期信号ブロックの伝送周期を越えることが許可されれば、この２つの周期における２つ目の符号から１３個目の符号（即ち時間領域リソースユニット１から時間領域リソースユニット３）の部分の時間領域リソースに対して、Ｔ１における時間領域リソースユニット３とＴ２における時間領域リソースユニット１は連続的であり、同期信号ブロックを伝送するための１つの時間領域リソースグループを形成できる。
【００６９】
当該ｍ個の同期信号ブロックを伝送するためのｍ個の時間領域リソースユニットの間が連続的でなければならない場合、ｎ＝ｋ（同期信号ブロックの伝送周期を越えることが許可される）又はｎ＝ｋ−１個の可能（同期信号ブロックの伝送周期を越えることが許可されない）のみがあり、ｍ個の同期信号ブロックを伝送するためのｍ個の時間領域リソースユニットを指示するために、それぞれ
0006938671.tif 000012
のビットを必要とする。
【００７０】
当該ｍ個の同期信号ブロックを伝送するためのｍ個の時間領域リソースユニットの間にｋ／２の時間領域リソースユニットを間隔で置かなければならない場合、ｍ個の同期信号ブロックを伝送するためのｍ個の時間領域リソースユニットを指示するために、
0006938671.tif 000013
のビットを必要とする。
【００７１】
例を挙げると、図９に示すように、プロトコルにｍ＝２と規定された場合は、複数の時間領域リソースグループにおけるこの２つの同期信号ブロックを伝送するための２つの時間領域リソースユニットの間が連続的である（同期信号ブロックの伝送周期を越えることが許可される）。この２つの同期信号ブロックの伝送に用いることができる時間領域リソースユニットの数ｋ＝４（時間領域リソースユニット１から時間領域リソースユニット４）であり、この２つの同期信号ブロックの伝送に用いることができ、且つ時間領域リソースユニットの位置が当該第１の条件（時間領域リソースユニットが連続的である）を満たす複数の時間領域リソースグループの数ｎ＝４と仮定し、ここで、この４つの時間領域リソースグループはそれぞれ、時間領域リソースユニット１と時間領域リソースユニット２、時間領域リソースユニット２と時間領域リソースユニット３、時間領域リソースユニット３と時間領域リソースユニット４、時間領域リソースユニット１と時間領域リソースユニット４（周期の境界を越える場合）を含み、ここで、当該伝送情報における当該時間領域リソースグループの情報が占めたビット数は
0006938671.tif 000014
である。
【００７２】
この２つの同期信号ブロックを伝送するための当該時間領域リソースグループは
0006938671.tif 000015
のビットによって指示することができ、例えば、「０１」で当該時間領域リソースグループが時間領域リソースユニット１と時間領域リソースユニット２を含み、即ち、当該同期信号ブロックが時間領域リソースユニット１と時間領域リソースユニット２で伝送されることを示し、「１０」で当該時間領域リソースグループが時間領域リソースユニット２と時間領域リソースユニット３を含み、即ち、当該同期信号ブロックが時間領域リソースユニット２と時間領域リソースユニット３で伝送されることを示し、「１１」で当該時間領域リソースグループが時間領域リソースユニット３と時間領域リソースユニット４を含み、即ち、当該同期信号ブロックが時間領域リソースユニット３と時間領域リソースユニット４で伝送されることを示し、「００」で当該時間領域リソースグループが時間領域リソースユニット１と時間領域リソースユニット４を含み、即ち、当該同期信号ブロックが時間領域リソースユニット１と時間領域リソースユニット４で伝送されることを示す。ネットワーク機器が時間領域リソースユニット１と時間領域リソースユニット２で端末機器へ当該同期信号ブロックを送信すれば、「０１」によって、端末機器に当該同期信号ブロックが時間領域リソースユニット１と時間領域リソースユニット２に位置することを指示でき、即ち、当該伝送情報に含まれた当該時間領域リソースグループの情報は「０１」である。
【００７３】
１つの実施例において、当該伝送情報はさらにリソース配置情報を含み、当該リソース配置情報は、各時間領域リソースグループにおける当該ｍ個の同期信号ブロックを伝送するためのｍ個の時間領域リソースユニットの位置が第１の条件を満たすべきことを指示するために用いられる。
【００７４】
つまり、各時間領域リソースグループにおける当該ｍ個の同期信号ブロックを伝送するためのｍ個の時間領域リソースユニットの位置が一定の条件を満たすことを要求してもよく、ネットワーク機器が端末機器へ同期信号ブロックを送信する時に、具体的にどの条件を満たす時間領域リソースグループを使用するかは、リソース配置情報によって端末機器に指示することができ、当該リソース配置情報は当該伝送情報に携帯されてそれとともに端末機器へ送信され、それにより、端末機器は、当該リソース配置情報に基づいて、当該リソース配置情報に対応するｎ個の時間領域リソースグループにおいて、
0006938671.tif 000016
のビットの時間領域リソースグループを表すための情報に基づいて、当該ｍ個の同期信号ブロックを送信するためのｍ個の時間領域リソースユニットを確定する。
【００７５】
例えば、図９〜図１１に示すように、ｍ＝２、即ち、ネットワーク機器が端末機器へ２つの同期信号ブロックを送信する場合、この２つの同期信号ブロックの伝送に用いることができる複数の時間領域リソースグループにおいて、この２つの同期信号ブロックを伝送するための２つの時間領域リソースユニットの間は、３種の条件（条件１、条件２及び条件３）を満たすことができる。
【００７６】
条件１は、当該ｍ個の同期信号ブロックを伝送するためのｍ個の時間領域リソースユニットの間が連続的（同期信号ブロックの伝送周期を越えてもよい）のことである。条件２は、当該ｍ個の同期信号ブロックを伝送するためのｍ個の時間領域リソースユニットの間が連続的（同期信号ブロックの伝送周期を越えてはならない）のことである。条件３は、当該ｍ個の同期信号ブロックを伝送するためのｍ個の時間領域リソースユニットの間にｋ個の時間領域リソースユニット（ｋは偶数とする）が挟まっていることである。
【００７７】
図９に示すように、条件１については、この２つの同期信号ブロックの伝送に用いることができる時間領域リソースユニットの数ｋ＝４（時間領域リソースユニット１から時間領域リソースユニット４）であり、この２つの同期信号ブロックの伝送に用いることができ、且つ当該第１の条件を満たす複数の時間領域リソースグループの数ｎ＝４と仮定し、ここで、この４グループの時間領域リソースグループはそれぞれ、時間領域リソースユニット１と時間領域リソースユニット２（「０１」で示す）、時間領域リソースユニット２と時間領域リソースユニット３（「１０」で示す）、時間領域リソースユニット３と時間領域リソースユニット４（「１１」で示す）及び時間領域リソースユニット１と時間領域リソースユニット４（「００」で示す）を含み、ここで、当該伝送情報における当該時間領域リソースグループを表すための情報が占めたビット数は
0006938671.tif 000017
である。
【００７８】
ネットワーク機器が条件１を用いて、時間領域リソースユニット１と時間領域リソースユニット２で端末機器へ２つの同期信号ブロックを送信すれば、ネットワーク機器が端末機器へ送信した同期信号ブロックの伝送情報は、ｍ＝２を指示するための情報、条件１を指示するための情報及び２ビット（即ち「０１」）のこの２つの同期信号ブロックを伝送するための時間領域リソースグループを指示するための情報を含む。
【００７９】
図１０に示すように、条件２については、この２つの同期信号ブロックの伝送に用いることができる時間領域リソースユニットの数ｋ＝４（時間領域リソースユニット１から時間領域リソースユニット４）であり、この２つの同期信号ブロックの伝送に用いることができ、且つ当該第１の条件を満たす複数の時間領域リソースグループの数ｎ＝３と仮定し、ここで、この３グループの時間領域リソースグループはそれぞれ、時間領域リソースユニット１と時間領域リソースユニット２（「０１」で示す）、時間領域リソースユニット２と時間領域リソースユニット３（「１０」で示す）及び時間領域リソースユニット３と時間領域リソースユニット４（「１１」で示す）を含み、ここで、当該伝送情報における当該時間領域リソースグループを表すための情報が占めたビット数は
0006938671.tif 000018
である。
【００８０】
ネットワーク機器が条件２を用いて、時間領域リソースユニット２と時間領域リソースユニット３で端末機器へ２つの同期信号ブロックを送信すれば、ネットワーク機器が端末機器へ送信した同期信号ブロックの伝送情報は、ｍ＝２を指示するための情報、条件２を指示するための情報及び２ビット（即ち「１０」）のこの２つの同期信号ブロックを伝送するための時間領域リソースグループを指示するための情報を含む。
【００８１】
図１１に示すように、条件３については、この２つの同期信号ブロックの伝送に用いることができる時間領域リソースユニットの数ｋ＝４（時間領域リソースユニット１から時間領域リソースユニット４）であり、この２つの同期信号ブロックの伝送に用いることができ、且つ当該第１の条件を満たす複数の時間領域リソースグループの数ｎ＝２と仮定し、ここで、この２グループの時間領域リソースグループはそれぞれ、時間領域リソースユニット１と時間領域リソースユニット３（「０」で示す）及び時間領域リソースユニット２と時間領域リソースユニット４（「１」で示す）を含み、ここで、当該伝送情報における当該時間領域リソースグループを表すための情報が占めたビット数は
0006938671.tif 000019
である。
【００８２】
ネットワーク機器が条件３を用いて、時間領域リソースユニット１と時間領域リソースユニット３で端末機器へ２つの同期信号ブロックを送信すれば、ネットワーク機器が端末機器へ送信した同期信号ブロックの伝送情報は、ｍ＝２を指示するための情報、条件３を指示するための情報及び１ビット（即ち「０」）のこの２つの同期信号ブロックを伝送するための時間領域リソースグループを指示するための情報を含む。
【００８３】
当然ながら、当該第１の条件は、各時間領域リソースグループにおけるｍ個の同期信号ブロックを伝送するためのｍ個の時間領域リソースユニットが特定の符号を含み、例えば、当該時間領域リソースグループが前の４つの符号を含むか、当該時間領域リソースグループが後の４つの符号を含むか、当該時間領域リソースグループが奇数番目の符号を含むか、又は当該時間領域リソースグループが偶数番目の符号を含むなどであってもよい。本願はこれについて限定しない。
【００８４】
したがって、本願の実施例において、同期信号ブロックを伝送する時、ネットワーク機器は端末機器に同期信号ブロックの数及び対応する具体的な時間領域位置を指示することにより、少ないビットを使用するだけで、同期信号ブロックの時間領域リソース位置に対する指示を実現でき、且つシグナリングオーバーヘッドを低減する。
【００８５】
５２０において、ネットワーク機器は端末機器へ当該伝送情報を送信する。
【００８６】
具体的には、ネットワーク機器は、端末機器が上記伝送情報に基づいて、当該ｍ個の同期信号ブロックを伝送するための時間領域リソースで、ネットワーク機器から送信された当該ｍ個の同期信号ブロックを受信するように、当該伝送情報を端末機器に送信してもよい。
【００８７】
５３０において、端末機器はネットワーク機器から送信された当該伝送情報を受信する。
【００８８】
ここで、当該伝送情報は当該同期信号ブロックの数ｍの情報及び当該ｍ個の同期信号ブロックを伝送するための時間領域リソースグループの情報を含む。
【００８９】
ここで、当該伝送情報における当該時間領域リソースグループの情報が占めたビット数は
0006938671.tif 000020
であり、ｎは前記ｍ個の同期信号ブロックの伝送に用いることができる複数の時間領域リソースグループの数であり、異なる時間領域リソースグループにおける当該ｍ個の同期信号ブロックを伝送するためのｍ個の時間領域リソースユニットの位置が完全に同じではなく、ｍは正整数であり、ｎは正整数である。
【００９０】
ここで、当該複数の時間領域リソースグループにおける各時間領域リソースグループは少なくとも１つの時間領域リソースユニットを含む。１つの実施例において、当該時間領域リソースユニットは少なくとも１つの符号を含む。１つの時間領域リソースユニットは１つの同期信号ブロックの伝送に用いることができる。
【００９１】
１つの実施例において、当該同期信号ブロックは、プライマリ同期信号ＰＳＳ、セカンダリ同期信号ＳＳＳ及び物理ブロードキャストチャネルＰＢＣＨのうちの少なくとも１種を含む。
【００９２】
さらに、当該ＰＢＣＨには対応する復調基準信号ＤＭＲＳを携帯してもよい。
【００９３】
５４０において、端末機器は当該伝送情報に基づいて、ネットワーク機器から送信された当該ｍ個の同期信号ブロックを受信する。
【００９４】
具体的には、端末機器が当該伝送情報に基づいて、当該ｍ個の同期信号ブロックを伝送するための時間領域リソースで、ネットワーク機器から送信された当該ｍ個の同期信号ブロックを受信する具体的な過程は、図６〜図１１における５１０に対する関連説明を参照してもよく、簡潔のために、ここでは重複する説明を省略する。
【００９５】
したがって、本願の実施例において、同期信号ブロックを受信する時、端末機器はネットワーク機器によって指示される同期信号ブロックの数及び対応する具体的な時間領域位置を取得することにより、少ないビットを使用するだけで、同期信号ブロックの時間領域リソース位置を取得でき、それによりシグナリングオーバーヘッドを低減する。
【００９６】
本願の各種の実施例において、上記の各過程の番号の大小は実行順序の前後を意味せず、各過程の実行順序は、その機能及び内なる論理によって確定されるものであり、本願の実施例の実施過程を限定するものではないことが理解される。
【００９７】
図１２は本願の実施例によるネットワーク機器１２００の概略ブロック図である。図１２に示すように、当該ネットワーク機器１２００は確定ユニット１２１０と送信ユニット１２２０を含む。そのうち、
確定ユニット１２１０は、同期信号ブロックの伝送情報を確定するために用いられ、前記伝送情報は、前記同期信号ブロックの数ｍの情報及び前記ｍ個の同期信号ブロックを伝送するための時間領域リソースグループの情報を含み、前記時間領域リソースグループは、前記ｍ個の同期信号ブロックを伝送するためのｍ個の時間領域リソースユニットを含み、且つ異なる時間領域リソースグループにおけるｍ個の時間領域リソースユニットの位置が完全に同じではなく、ｍは正整数であり、
送信ユニット１２２０は、端末機器が前記伝送情報に基づいて、前記ネットワーク機器から送信された前記ｍ個の同期信号ブロックを受信するように、前記端末機器へ前記確定ユニット１２１０によって確定された前記伝送情報を送信するために用いられる。
【００９８】
したがって、本願の実施例において、同期信号ブロックを伝送する時、ネットワーク機器は端末機器に同期信号ブロックの数及び対応する具体的な時間領域位置を指示することにより、少ないビットを使用するだけで、同期信号ブロックの時間領域リソース位置に対する指示を実現でき、且つシグナリングオーバーヘッドを低減する。
【００９９】
１つの実施例において、前記伝送情報において、前記時間領域リソースグループの情報が占めたビット数は
0006938671.tif 000021
であり、ｎは前記ｍ個の同期信号ブロックの伝送に用いることができる複数の時間領域リソースグループの数であり、ｎは正整数である。
【０１００】
１つの実施例において、
0006938671.tif 000022
、ｋは前記ｍ個の同期信号ブロックの伝送に用いることができる時間領域リソースユニットの数であり、ｋは正整数であり、ｋ≧ｍである。
【０１０１】
１つの実施例において、前記複数の時間領域リソースグループにおいて、各時間領域リソースグループにおけるｍ個の時間領域リソースユニットの位置が第１の条件を満たす。
【０１０２】
１つの実施例において、前記第１の条件は前記ネットワーク機器により確定されたもの、又は前記ネットワーク機器と前記端末機器により事前に確約されたものである。
【０１０３】
１つの実施例において、前記伝送情報はさらにリソース配置情報を含み、前記リソース配置情報は、前記各時間領域リソースグループにおけるｍ個の時間領域リソースユニットの位置が満たすべき第１の条件を指示するために用いられる。
【０１０４】
１つの実施例において、前記第１の条件は、前記ｍ個の同期信号ブロックの伝送に用いることができる前記ｋ個の時間領域リソースユニットにおいて、前記各時間領域リソースグループにおける前記ｍ個の同期信号ブロックを伝送するためのｍ個の時間領域リソースユニットの間が連続的であるもの、又は前記ｍ個の同期信号ブロックを伝送するためのｍ個の時間領域リソースユニットの間に固定数の時間領域リソースユニットが挟まっているものを含む。
【０１０５】
１つの実施例において、前記固定数は前記ネットワーク機器により確定されたもの、又は前記ネットワーク機器と前記端末機器により事前に確約されたものである。
【０１０６】
１つの実施例において、前記ｍ個の時間領域リソースユニットにおける各時間領域リソースユニットは少なくとも１つの符号を含む。
【０１０７】
１つの実施例において、前記同期信号ブロックは、プライマリ同期信号ＰＳＳ、セカンダリ同期信号ＳＳＳ及び物理ブロードキャストチャネルＰＢＣＨのうちの少なくとも１種を含む。
【０１０８】
図１３は本願の実施例による端末機器１３００の概略ブロック図である。図１３に示すように、当該端末機器１３００は受信ユニット１３１０を含む。そのうち、
受信ユニット１３１０は、ネットワーク機器から送信された同期信号ブロックの伝送情報を受信するために用いられ、前記伝送情報は、前記同期信号ブロックの数ｍの情報及び前記ｍ個の同期信号ブロックを伝送するための時間領域リソースグループの情報を含み、前記時間領域リソースグループは、前記ｍ個の同期信号ブロックを伝送するためのｍ個の時間領域リソースユニットを含み、且つ異なる時間領域リソースグループにおけるｍ個の時間領域リソースユニットの位置が完全に同じではなく、ｍは正整数であり、
前記受信ユニット１３１０はさらに、前記伝送情報に基づいて、前記ネットワーク機器から送信された前記ｍ個の同期信号ブロックを受信するために用いられる。
【０１０９】
したがって、本願の実施例において、同期信号ブロックを受信する時、端末機器はネットワーク機器により指示された同期信号ブロックの数及び対応する具体的な時間領域位置を取得することにより、少ないビットを使用するだけで、同期信号ブロックの時間領域リソース位置を取得でき、それによりシグナリングオーバーヘッドを低減する。
【０１１０】
１つの実施例において、前記伝送情報において、前記時間領域リソースグループの情報が占めたビット数は
0006938671.tif 000023
であり、ｎは前記ｍ個の同期信号ブロックの伝送に用いることができる複数の時間領域リソースグループの数であり、ｎは正整数である。
【０１１１】
１つの実施例において、
0006938671.tif 000024
、ｋは前記ｍ個の同期信号ブロックの伝送に用いることができる時間領域リソースユニットの数であり、ｋは正整数であり、ｋ≧ｍである。
【０１１２】
１つの実施例において、前記複数の時間領域リソースグループにおいて、各時間領域リソースグループにおけるｍ個の時間領域リソースユニットの位置が第１の条件を満たす。
【０１１３】
１つの実施例において、前記第１の条件は、前記ネットワーク機器により確定されたもの、又は前記端末機器と前記ネットワーク機器により事前に確約されたものである。
【０１１４】
１つの実施例において、前記伝送情報はさらにリソース配置情報を含み、前記リソース配置情報は、前記各時間領域リソースグループにおけるｍ個の時間領域リソースユニットの位置が満たすべき第１の条件を指示するために用いられる。
【０１１５】
１つの実施例において、前記第１の条件は、前記ｍ個の同期信号ブロックの伝送に用いることができる前記ｋ個の時間領域リソースユニットにおいて、前記各時間領域リソースグループにおける前記ｍ個の同期信号ブロックを伝送するためのｍ個の時間領域リソースユニットの間が連続的であるもの、又は前記ｍ個の同期信号ブロックを伝送するためのｍ個の時間領域リソースユニットの間に固定数の時間領域リソースユニットが挟まっているものを含む。
【０１１６】
１つの実施例において、前記固定数は前記ネットワーク機器により確定されたもの、又は前記ネットワーク機器と前記端末機器により事前に確約されたものである。
【０１１７】
１つの実施例において、前記時間領域リソースユニットにおける各時間領域リソースユニットは少なくとも１つの符号を含む。
【０１１８】
１つの実施例において、前記同期信号ブロックは、プライマリ同期信号ＰＳＳ、セカンダリ同期信号ＳＳＳ及び物理ブロードキャストチャネルＰＢＣＨのうちの少なくとも１種を含む。
【０１１９】
図１４は本願の実施例によるネットワーク機器１４００の概略構成図である。図１４に示すように、当該ネットワーク機器はプロセッサ１４１０、トランシーバー１４２０及びメモリ１４３０を含み、そのうち、当該プロセッサ１４１０、トランシーバー１４２０及びメモリ１４３０の間は内部接続通路を介して相互に通信する。当該メモリ１４３０はコマンドを記憶するために用いられ、当該プロセッサ１４１０は、当該メモリ１４３０に記憶されたコマンドを実行することにより、当該トランシーバー１４２０の信号受信又は信号送信を制御するために用いられる。
【０１２０】
そのうち、当該プロセッサ１４１０は、同期信号ブロックの伝送情報を確定するために用いられ、前記伝送情報は、前記同期信号ブロックの数ｍの情報及び前記ｍ個の同期信号ブロックを伝送するための時間領域リソースグループの情報を含み、前記時間領域リソースグループは、前記ｍ個の同期信号ブロックを伝送するためのｍ個の時間領域リソースユニットを含み、且つ異なる時間領域リソースグループにおけるｍ個の時間領域リソースユニットの位置が完全に同じではなく、ｍは正整数である。
【０１２１】
当該トランシーバー１４２０は、端末機器が前記伝送情報に基づいて、前記ネットワーク機器から送信された前記ｍ個の同期信号ブロックを受信するように、前記端末機器へ前記プロセッサ１４１０により確定された前記伝送情報を送信するために用いられる。
【０１２２】
１つの実施例において、前記伝送情報において、前記時間領域リソースグループの情報が占めたビット数は
0006938671.tif 000025
であり、ｎは前記ｍ個の同期信号ブロックの伝送に用いることができる複数の時間領域リソースグループの数であり、ｎは正整数である。
【０１２３】
１つの実施例において、
0006938671.tif 000026
、ｋは前記ｍ個の同期信号ブロックの伝送に用いることができる時間領域リソースユニットの数であり、ｋは正整数であり、ｋ≧ｍである。
【０１２４】
１つの実施例において、前記複数の時間領域リソースグループにおいて、各時間領域リソースグループにおけるｍ個の時間領域リソースユニットの位置が第１の条件を満たす。
【０１２５】
１つの実施例において、前記第１の条件は前記ネットワーク機器により確定されたもの、又は前記ネットワーク機器と前記端末機器により事前に確約されたものである。
【０１２６】
１つの実施例において、前記伝送情報はさらにリソース配置情報を含み、前記リソース配置情報は、前記各時間領域リソースグループにおけるｍ個の時間領域リソースユニットの位置が満たすべき第１の条件を指示するために用いられる。
【０１２７】
１つの実施例において、前記第１の条件は、前記ｍ個の同期信号ブロックの伝送に用いることができる前記ｋ個の時間領域リソースユニットにおいて、前記各時間領域リソースグループにおける前記ｍ個の同期信号ブロックを伝送するためのｍ個の時間領域リソースユニットの間が連続的であるもの、又は前記ｍ個の同期信号ブロックを伝送するためのｍ個の時間領域リソースユニットの間に固定数の時間領域リソースユニットが挟まっているものを含む。
【０１２８】
１つの実施例において、前記固定数は前記ネットワーク機器により確定されたもの、又は前記ネットワーク機器と前記端末機器により事前に確約されたものである。
【０１２９】
１つの実施例において、前記ｍ個の時間領域リソースユニットにおける各時間領域リソースユニットは少なくとも１つの符号を含む。
【０１３０】
１つの実施例において、前記同期信号ブロックは、プライマリ同期信号ＰＳＳ、セカンダリ同期信号ＳＳＳ及び物理ブロードキャストチャネルＰＢＣＨのうちの少なくとも１種を含む。
【０１３１】
本願の実施例において、当該プロセッサ１４１０は中央処理ユニット（Ｃｅｎｔｒａｌ  Ｐｒｏｃｅｓｓｉｎｇ  Ｕｎｉｔ、ＣＰＵ）であってもよく、当該プロセッサ１４１０はさらに、他の汎用プロセッサ、デジタルシグナルプロセッサ（ＤＳＰ）、特定用途向け集積回路（ＡＳＩＣ）、フィールドプログラマブルゲートアレイ（ＦＰＧＡ）又は他のプログラマブルロジックデバイス、ディスクリートゲート又はトランジスタロジックデバイス、ディスクリートハードウェアコンポーネントなどであってもよいことが理解される。汎用プロセッサはマイクロプロセッサであってもよく、又は、当該プロセッサはあらゆる通常のプロセッサなどであってもよい。
【０１３２】
当該メモリ１４３０はリードオンリーメモリ及びランダムアクセスメモリを含んでもよく、且つプロセッサ１４１０にコマンド及びデータを提供する。メモリ１４３０の一部は不揮発性ランダムアクセスメモリをさらに含んでもよい。例えば、メモリ１４３０は機器種別の情報をさらに記憶してもよい。
【０１３３】
実現する際に、上記方法の各ステップはプロセッサ１４１０におけるハードウェアである集積論理回路又はソフトウェア的なコマンドによって完成できる。本願の実施例に開示された信号を伝送する方法のステップと合わせて、ハードウェアであるプロセッサによって実行されることで完成する、又はプロセッサ１４１０におけるハードウェアとソフトウェアモジュールの組み合わせによって実行されることで完成すると直接表現されてもよい。ソフトウェアモジュールは、ランダムメモリ、フラッシュメモリ、リードオンリーメモリ，プログラマブルリードオンリーメモリ又は電気的消去可能プログラマブルメモリ、レジスタなど、本分野に発達した記憶媒体に位置してもよい。当該記憶媒体はメモリ１４３０に位置し、プロセッサ１４１０はメモリ１４３０における情報を読み取り、そのハードウェアと合わせて上記方法のステップを完成する。重複を避けるために、ここでは詳細に説明しない。
【０１３４】
本願の実施例によるネットワーク機器１４００は上記方法５００における方法５００を実行するためのネットワーク機器及び本願の実施例によるネットワーク機器１２００に対応してもよく、且つ当該ネットワーク機器１４００における各ユニット又はモジュールは、それぞれ上記方法５００におけるネットワーク機器により実行される各動作又は処理過程を実行するために用いられ、ここでは、重複を避けるために、その詳細な説明は省略する。
【０１３５】
図１５は本願の実施例による端末機器１５００の概略構成図である。図１５に示すように、当該端末機器はプロセッサ１５１０、トランシーバー１５２０及びメモリ１５３０を含み、そのうち、当該プロセッサ１５１０、トランシーバー１５２０及びメモリ１５３０の間は内部接続通路を介して相互に通信する。当該メモリ１５３０はコマンドを記憶するために用いられ、当該プロセッサ１５１０は、当該メモリ１５３０に記憶されたコマンドを実行することにより、当該トランシーバー１５２０の信号受信又は信号送信を制御するために用いられる。
【０１３６】
そのうち、当該トランシーバー１５２０は、ネットワーク機器から送信された同期信号ブロックの伝送情報を受信し、ここで、前記伝送情報は、前記同期信号ブロックの数ｍの情報及び前記ｍ個の同期信号ブロックを伝送するための時間領域リソースグループの情報を含み、前記時間領域リソースグループは、前記ｍ個の同期信号ブロックを伝送するためのｍ個の時間領域リソースユニットを含み、且つ異なる時間領域リソースグループにおけるｍ個の時間領域リソースユニットの位置が完全に同じではなく、ｍは正整数であることと、前記伝送情報に基づいて、前記ネットワーク機器から送信された前記ｍ個の同期信号ブロックを受信することに用いられる。
【０１３７】
１つの実施例において、前記伝送情報において、前記時間領域リソースグループの情報が占めたビット数は
0006938671.tif 000027
であり、ｎは前記ｍ個の同期信号ブロックの伝送に用いることができる複数の時間領域リソースグループの数であり、ｎは正整数である。
【０１３８】
１つの実施例において、
0006938671.tif 000028
、ｋは前記ｍ個の同期信号ブロックの伝送に用いることができる時間領域リソースユニットの数であり、ｋは正整数であり、ｋ≧ｍである。
【０１３９】
１つの実施例において、前記複数の時間領域リソースグループにおいて、各時間領域リソースグループにおけるｍ個の時間領域リソースユニットの位置が第１の条件を満たす。
【０１４０】
１つの実施例において、前記第１の条件は前記ネットワーク機器により確定されたもの、又は前記ネットワーク機器と前記端末機器により事前に確約されたものである。
【０１４１】
１つの実施例において、前記伝送情報はさらにリソース配置情報を含み、前記リソース配置情報は、前記各時間領域リソースグループにおけるｍ個の時間領域リソースユニットの位置が満たすべき第１の条件を指示するために用いられる。
【０１４２】
１つの実施例において、前記第１の条件は、前記ｍ個の同期信号ブロックの伝送に用いることができる前記ｋ個の時間領域リソースユニットにおいて、前記各時間領域リソースグループにおける前記ｍ個の同期信号ブロックを伝送するためのｍ個の時間領域リソースユニットの間が連続的であるもの、又は前記ｍ個の同期信号ブロックを伝送するためのｍ個の時間領域リソースユニットの間に固定数の時間領域リソースユニットが挟まっているものを含む。
【０１４３】
１つの実施例において、前記固定数は前記ネットワーク機器により確定されたもの、又は前記ネットワーク機器と前記端末機器により事前に確約されたものである。
【０１４４】
１つの実施例において、前記ｍ個の時間領域リソースユニットにおける各時間領域リソースユニットは少なくとも１つの符号を含む。
【０１４５】
１つの実施例において、前記同期信号ブロックは、プライマリ同期信号ＰＳＳ、セカンダリ同期信号ＳＳＳ及び物理ブロードキャストチャネルＰＢＣＨのうちの少なくとも１種を含む。
【０１４６】
本願の実施例において、当該プロセッサ１５１０は中央処理装置（Ｃｅｎｔｒａｌ  Ｐｒｏｃｅｓｓｉｎｇ  Ｕｎｉｔ、ＣＰＵ）であってもよく、当該プロセッサ１５１０はさらに、他の汎用プロセッサ、デジタルシグナルプロセッサ（ＤＳＰ）、特定用途向け集積回路（ＡＳＩＣ）、フィールドプログラマブルゲートアレイ（ＦＰＧＡ）又は他のプログラマブルロジックデバイス、ディスクリートゲート又はトランジスタロジックデバイス、ディスクリートハードウェアコンポーネントなどであってもよいことが理解される。汎用プロセッサはマイクロプロセッサ又であってもよく、又は、当該プロセッサはあらゆる通常のプロセッサなどであってもよい。
【０１４７】
当該メモリ１５３０はリードオンリーメモリ及びランダムアクセスメモリを含んでもよく、且つプロセッサ１５１０にコマンド及びデータを提供する。メモリ１５３０の一部は不揮発性ランダムアクセスメモリをさらに含んでもよい。例えば、メモリ１５３０は機器種別の情報をさらに記憶してもよい。
【０１４８】
実現する際に、上記方法の各ステップはプロセッサ１５１０におけるハードウェアである集積論理回路又はソフトウェア的なコマンドによって完成できる。本願の実施例に開示された信号を伝送する方法のステップと合わせて、ハードウェアであるプロセッサによって実行されることで完成する、又はプロセッサ１５１０におけるハードウェアとソフトウェアモジュールの組み合わせによって実行されることで完成すると直接表現される。ソフトウェアモジュールはランダムメモリ、フラッシュメモリ、リードオンリーメモリ、プログラマブルリードオンリーメモリ又は電気的消去可能プログラマブルメモリ、レジスタなど、本分野に発達した記憶媒体に位置してもよい。当該記憶媒体はメモリ１５３０に位置し、プロセッサ１５１０はメモリ１５３０における情報を読み取り、そのハードウェアと合わせて上記方法のステップを完成する。重複を避けるために、ここでは詳細に説明しない。
【０１４９】
本願の実施例による端末機器１５００は、上記方法５００における方法５００を実行するためのネットワーク機器及び本願の実施例による端末機器１３００に対応してもよく、且つ当該端末機器１５００における各ユニット又はモジュールはそれぞれ上記方法５００における端末機器により実行された各動作又は処理過程を実行するために用いられ、ここで、重複を避けるために、その詳細な説明は省略する。
【０１５０】
図１６は本願の実施例に係るシステムチップの１つの概略構成図である。図１６のシステムチップ１６００は入力インタフェース１６０１、出力インタフェース１６０２、少なくとも１つのプロセッサ１６０３、メモリ１６０４を含み、前記入力インタフェース１６０１、出力インタフェース１６０２、前記プロセッサ１６０３及びメモリ１６０４の間は内部接続通路を介して相互に接続される。前記プロセッサ１６０３は前記メモリ１６０４におけるコードを実行するために用いられる。
【０１５１】
１つの実施例において、前記コードが実行される時、前記プロセッサ１６０３は方法の実施例におけるネットワーク機器により実行された方法５００を実現できる。簡潔のために、ここでは重複する説明を省略する。
【０１５２】
１つの実施例において、前記コードが実行される時、前記プロセッサ１６０３は方法の実施例における端末機器により実行された方法５００を実現できる。簡潔のために、ここでは重複する説明を省略する。
【０１５３】
当業者であれば分かるように、本明細書に開示された実施例に説明された各例のユニット及びアルゴリズムステップは、電子ハードウェア、又はコンピュータソフトウェアと電子ハードウェアとの組み合わせによって実現できる。これらの機能が、ハードウェアによって実行されるか、ソフトウェアによって実行されるかは、技術的解決手段の特定の応用と設計の制約条件によって決定される。専門的な技術者は特定の応用のそれぞれに対して異なる方法を用いて、説明された機能を実現することができるが、このような実現は本願の範囲を超えるものではない。
【０１５４】
当業者であれば明確に理解できるように、説明を便利且つ簡潔にするために、以上説明したシステム、装置及びユニットの具体的な動作過程は、前記方法の実施例における対応する過程を参照してもよいため、ここでは重複する説明を省略する。
【０１５５】
本願が提供するいくつかの実施例において、開示されたシステム、装置及び方法は、他の方式によって実現できることが理解される。例えば、以上説明した装置の実施例は例示的なものに過ぎず、例えば、当該ユニットの分割は、論理機能による分割に過ぎず、実際に実現する際に、他の分割方式にしてもよく、例えば複数のユニット又はコンポーネントは組み合わせてもよいし、別のシステムに集積してもよく、又はいくつかの特徴は無視するか又は実行しなくてもよい。一方で、表示又は検討された相互間のカップリング又は直接カップリング又は通信接続は、いくつかのインタフェース、装置又はユニットによる間接的カップリング又は通信接続であってもよく、電気的、機械的又は他の形式であってもよい。
【０１５６】
分離した部材として説明された当該ユニットは、物理的に分離したものであってもよく、そうでなくてもよく、即ち、１つの箇所に位置してもよく、複数のネットワークユニットに分散してもよい。実際のニーズに応じて、そのうち一部又は全部のユニットを選択して本実施例の解決手段の目的を実現してもよい。
【０１５７】
また、本願の各実施例における各機能ユニットは、１つの処理ユニットに集積してもよく、各ユニットが単独で物理的に存在してもよく、さらに２つ以上のユニットが１つのユニットに集積してもよい。
【０１５８】
当該機能は、ソフトウェア機能ユニットとして実現され且つ独立した製品として販売又は使用された時、１つのコンピュータ可読記憶媒体に記憶されてもよい。このような理解に基づいて、本願の技術的解決手段自体、又は従来技術に寄与する部分若しくは当該技術的解決手段の一部はソフトウェア製品として表現されてもよく、当該コンピュータソフトウェア製品は１つの記憶媒体に記憶され、コンピュータ機器（パーソナルコンピュータ、サーバ、又はネットワーク機器などであってもよい）に本願の各実施例に記載の方法の全部又は一部のステップを実行させるための複数のコマンドを含む。前記記憶媒体は、ＵＳＢメモリ、ポータブルハードディスク、リードオンリーメモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク又は光ディスクなど、プログラムコードを記憶できる様々な媒体を含む。
【０１５９】
以上は本願の具体的な実施形態に過ぎず、本願の実施例の保護範囲を限定するものではなく、当業者が本願の実施例に開示された技術的範囲において、容易に想到し得る変化又は置換は、いずれも本願の実施例の保護範囲に属する。したがって、本願の実施例の保護範囲は特許請求の範囲を基準とする。
【図１】
0006938671.tif 000035
【図２】
0006938671.tif 000036
【図３】
0006938671.tif 000037
【図４】
0006938671.tif 000038
【図５】
0006938671.tif 000039
【図６】
0006938671.tif 000040
【図７】
0006938671.tif 000041
【図８】
0006938671.tif 000042
【図９】
0006938671.tif 000043
【図１０】
0006938671.tif 000044
【図１１】
0006938671.tif 000045
【図１２】
0006938671.tif 000046
【図１３】
0006938671.tif 000047
【図１４】
0006938671.tif 000048
【図１５】
0006938671.tif 000049
【図１６】
0006938671.tif 000050